(57)【要約】【課題】経年変化によるシートのずれを抑え、且つ高輝度な掲示具を提供する。【課題を解決する手段】掲示情報が記載された掲示対象物１Ａをその裏面から照明する掲示具１０は、矩形状の板部２と、板部２の一方の縁部２ｃを覆う第１の枠体３と、一方の縁部２ｃに向かい合う他方の縁部２ｄを覆う第２の枠体４と、縁部２ｃに設けられた光源１３Ａと、縁部２ｄに設けられた光源１３Ｂとを備える。板部２は、光源１３Ａ、１３Ｂからの入射光を導く導光板５と、導光板５から掲示対象物１Ａ、１Ｂをそれぞれ収容する空間１Ｃ、１Ｄを開けて配され、導光板５の一面側又は両面側を覆う保護板７Ａ、７Ｂとを備え、保護板７Ａ、７Ｂは、導光板５の位置する反対面の、第１の枠体３に沿う縁部７ｃ及び第２の枠体４に沿う縁部７ｄに貼着される接着剤８により、導光板５側に押し当てられる。【選択図】図４
0003206256.tif 000002
【実用新案登録請求の範囲】
【請求項１】
掲示情報が記載された掲示対象物をその裏面から照明する掲示具であって、
矩形状の板部と、
前記板部の一方の縁部を覆う第１の枠体と、
前記一方の縁部に向かい合う他方の縁部を覆う第２の枠体と、
前記一方の縁部又は前記他方の縁部のうち、少なくとも一方の縁部に設けられた光源とを備え、
前記板部は、
前記光源からの入射光を導く導光板と、
前記導光板から前記掲示対象物を収容する空間を開けて配され、当該導光板の一面又は両面を覆う保護板とを備え、
前記保護板は、前記導光板の位置する反対面の、前記第１の枠体及び前記第２の枠体に沿う縁部に接着剤により貼着され、前記導光板側に押し当てられる掲示具。
【請求項２】
前記第１の枠体は、
前記板部の面方向に対して直交する方向に貫通する孔を有し、
前記第２の枠体は、
前記板部の面方向に対して平行逆側に鈎状に突出した取付鈎部を有する請求項１に記載の掲示具。
【請求項３】
前記取付鈎部は、
前記第２の枠体から前記板部に対して平行逆側に延在する直延部と、
前記直延部の先端から円弧状に湾曲する湾曲部と、
前記湾曲部から前記直延部に対して平行に延在する延在部とを有する請求項２に記載の掲示具。
【請求項４】
前記保護板は、前記第１の枠体に覆われる前記縁部と隣り合う縁部に、切り欠き部を有する請求項１〜３のいずれか１項に記載の掲示具。
【考案の詳細な説明】
【技術分野】
【０００１】
この考案は、導光板に配置した掲示対象物を照明して掲示する掲示具に関する。
【背景技術】
【０００２】
一般に、物件情報や商品情報等の掲示情報が記載されたシートは、店外にいる人に見える形で、店頭のウインドウ等の内側から掲示される。このようなシート等の掲示対象物を、暗い環境下においても視認可能に掲示する掲示具として、下記特許文献１の通り、シートが入った透光性を有するケースを照明する照明手段を有する掲示具が知られている。
【先行技術文献】
【特許文献】
【０００３】
【特許文献１】実用新案登録第３１７７５５９号
【考案の概要】
【考案が解決しようとする課題】
【０００４】
上述した掲示具は、経年変化でシートの入ったケースがたわみ、シートとケースとの間の空間が広がってしまうと、シートが、ずれたり掲示具から落ちたりすることがあった。また、このような掲示具は、シートの視認性を向上させるために輝度を高める必要があるが、照明手段の光源に大きな電流を流すと発熱量が大きくなるため、輝度を充分に高くできないという問題があった。
【０００５】
そこで、この考案は、経年変化によるシートのずれを抑え、且つ高輝度な掲示具の提供を目的とする。
【課題を解決するための手段】
【０００６】
上述の課題を解決するために採った本考案の技術手段は、次の通りである。
（１）掲示情報が記載された掲示対象物をその裏面から照明する掲示具であって、掲示具は、矩形状の板部と、板部の一方の縁部を覆う第１の枠体と、一方の縁部に向かい合う他方の縁部を覆う第２の枠体と、一方の縁部又は他方の縁部のうち、少なくとも一方の縁部に設けられた光源とを備え、板部は、光源からの入射光を導く導光板と、
導光板から掲示対象物を収容する空間を開けて配され、当該導光板の一面又は両面を覆う保護板とを備え、保護板は、導光板の位置する反対面の、第１の枠体及び第２の枠体に沿う縁部に接着剤により貼着され、導光板側に押し当てられる。
【０００７】
（２）第１の枠体は、板部の面方向に対して直交する方向に貫通する孔を有し、第２の枠体は、板部の面方向に対して平行逆側に鈎状に突出した取付鈎部を有する前記（１）に記載の掲示具。
【０００８】
（３）取付鈎部は、第２の枠体から板部に対して平行逆側に延在する直延部と、直延部の先端から円弧状に湾曲する湾曲部と、湾曲部から直延部に対して平行に延在する延在部とを有する前記（２）に記載の掲示具。
【０００９】
（４）保護板は、第１の枠体に覆われる縁部と隣り合う縁部に、切り欠き部を有する前記（１）〜（３）のいずれかに記載の掲示具。
【考案の効果】
【００１０】
この考案では、経年変化によって保護板は、保護板と導光板との間の空間が狭くなる方向にたわむ。そのため、シートのずれを抑えることができる。また、光源に大きな電流を流しても、光源の発する熱を枠体が放熱するため、高輝度な掲示具を実現できる。
【図面の簡単な説明】
【００１１】
【図１】この考案にかかる掲示具１０の、ウインドウＡへの取り付け例を示す説明図である。
【図２】掲示具１０の構成例を示す平面図である。
【図３】掲示具１０の構成例を示す側面の平面図である。
【図４】平板部３Ｂ及び取付鈎部４０を外した、掲示具１０の構成例を示す側面の平面図である。
【図５】Ａ、Ｂは、掲示具１０Ａ、１０Ｂの連結例を示す正面及び側面の平面図である。
【図６】Ａ〜Ｃは、掲示具１０Ａと掲示具１０Ｂの連結動作例を示す図５ＡのＡ−Ａ断面図である。
【図７】掲示具１０Ａ、１０Ｂの連結動作例を示す側面の平面図である。
【図８】Ａ、Ｂは、保護板７Ａ、７Ｂのたわむ前と後の、板部２の状態例を示す側面の平面図である。
【考案を実施するための形態】
【００１２】
以下、図面を参照しながら、この考案に係る実施の形態としての掲示具１０について説明する。以下で、シート表面とは、掲示情報が記載された掲示対象物の一例のシート１Ａ、１Ｂの掲示情報が記載された面を表す。シート裏面とは、シート１Ａ、１Ｂの、掲示情報が記載された面とは反対の面を表す。また、導光板５の表面とは、シート１Ａの配置される側の面を表し、導光板５の裏面とは、シート１Ｂの配置される側を表す。
【００１３】
図１に示すように、掲示具１０は、シート１Ａをシート裏面から照明するものである。掲示具１０は、シート１Ｂを、シート１Ａのシート裏面側に掲示する。掲示具１０は、例えば、屋外にいる人にシート１Ａの掲示情報が見える形で、店舗のウインドウＡ等に室内側からチェーン等で吊り下げられて掲示される。このとき、シート１Ｂは、室内側から見える形で掲示される。掲示具１０は、後で詳述するが、複数連結することができ、この図では、掲示具１０が２つ連結された状態を示している。
【００１４】
図２に示すように、掲示具１０は、矩形状の板部２と、板部２の一方の縁部２ｃを覆う第１の枠体３と、縁部２ｃに向かい合う他方の縁部２ｄを覆う第２の枠体４と、一対の縁部２ｃ、２ｄに設けられた光源１３Ａ、１３Ｂと、図４に示す光源１３Ａに接続する導線１３Ｃと、光源１３Ｂに接続する導線１３Ｄとを備える。導線１３Ｃ、１３Ｄの先端には、図示しないカプラ等が取り付けられ、電源と接続できるようになっている。
【００１５】
図３に示すように、板部２は、光源１３Ａ、１３Ｂからの入射光を導く導光板５と、導光板５の表面を覆い、導光板５の表面からシート１Ａを収容する空間１Ｃをあけて配される保護板７Ａと、導光板５の裏面を覆い、導光板５の裏面５ｆからシート１Ｂを収容する空間１Ｄを開けて配される保護板７Ｂとを備える。本実施の形態において、導光板５の裏面５ｆには、裏面５ｆを覆うクッション板６が接している。シート１Ａは、図２に示す、板部２の縁部２ａまたは、縁部２ａに向かい合う縁部２ｂから、空間１Ｃ内に出し入れされる。シート１Ｂは、板部２の縁部２ａまたは縁部２ｂから、空間１Ｄ内に出し入れされる。
【００１６】
第１の枠体３は、板部２を覆う枠部３Ａと、複数の掲示具１０を連結するための取付孔部３０とを有する。第１の枠体３の素材には、例えば、アルミニウムが使用される。
【００１７】
図４に示すように、枠部３Ａは、板部２を挟持するための溝３ａ〜３ｃを枠部３Ａに沿って平行に有する。枠部３Ａ内には、枠部３Ａに沿った空間部３ｄを有する。空間部３ｄは、溝３ｂにつながっている。溝３ａと空間部３ｄの間には、ねじ孔３ｅが設けられている。溝３ｃと空間部３ｄの間には、ねじ孔３ｆが設けられている。枠部３Ａには、導線１３Ｃを通すための孔部３ｇが設けられる。孔部３ｇは、空間部３ｄにつながっている。
【００１８】
図２に示すように、取付孔部３０は、枠部３Ａの両端から、板部２の面方向に対して平行逆側に突出する。取付孔部３０は、枠部３Ａの両端にねじ止めされる平板部３Ｂと、枠部３Ａの両端近傍からねじ孔３３ａを有して平板状に突出した突出部３３を有する。
【００１９】
図３に示すように、平板部３Ｂは、枠部３Ａの側面と同じ形状の蓋面３１と、蓋面３１から板部２に対して平行逆側に延在する延在部３２を有する。蓋面３１は、枠部３Ａにねじ３１ａ、３１ｂでねじ止めするためのねじ孔３１ｃ、３１ｄを有する。蓋面３１は、枠部３Ａの両端に蓋をするように、ねじ３１ａ、３１ｂでねじ止めされる。このとき、ねじ３１ａは、ねじ孔３１ｃと図４に示すねじ孔３ｅに挿通され、ねじ３１ｂは、ねじ孔３１ｄとねじ孔３ｆに挿通される。延在部３２は、ねじ孔３２ｂを有する。
【００２０】
図２に示すように、突出部３３のねじ孔３３ａと延在部３２のねじ孔３２ｂとが、ねじ３２ａで止められる。突出部３３、延在部３２、ねじ３２ａ、枠部３Ａの縁部３ｈで囲まれた空間部分で、導光板５の面方向に対して直交する方向に貫通する孔３０Ａが形成される。
【００２１】
第２の枠体４は、板部２を覆う枠部４Ａと、複数の掲示具１０を連結するための、平板状の取付鈎部４０を有する。取付鈎部４０は第２の枠体４の両端に取り付けられる。第２の枠体４の素材には、例えばアルミニウムが使用される。
【００２２】
枠部４Ａは、枠部３Ａと同じ形状をしていて、図４に示すように、板部２を挟持するための溝４ａ〜４ｃを、枠部４Ａに沿って有する。枠部４Ａは、枠部４Ａに沿った空間部４ｄを有する。空間部４ｄは、溝４ｂにつながっている。溝４ａと空間部４ｄの間には、ねじ孔４ｅが設けられている。溝４ｃと空間部４ｄの間には、ねじ孔４ｆが設けられている。枠部４Ａには、導線１３Ｄを通すための孔部４ｇが設けられる。孔部４ｇは、空間部４ｄにつながっている。
【００２３】
図３に示すように、取付鈎部４０は、板部２の面方向に対して平行逆側に鈎状に突出する。取付鈎部４０は、枠部４Ａの側面と同じ形状の蓋面４１と、蓋面４１から板部２に対して平行逆側に延在する直延部４２と、直延部４２の先端から円弧状に湾曲する湾曲部４３と、湾曲部４３から直延部４２に対して平行に延在する延在部４４とを有する。
【００２４】
蓋面４１は、枠部４Ａにねじ４１ａ、４１ｂでねじ止めするためのねじ孔４１ｃ、４１ｄを有する。蓋面４１は、枠部４Ａの両端に蓋をするように、ねじ４１ａ、４１ｂでねじ止めされる。このとき、ねじ４１ａは、ねじ孔４１ｃと図４に示す４ｅに挿通され、ねじ４１ｂは、ねじ孔４１ｄとねじ孔４ｆに挿通される。直延部４２は、湾曲部４３に対してねじ孔４１ｃ側に位置し、延在部４４は、湾曲部４３に対してねじ孔４１ｄ側に位置する。
【００２５】
図４に示すように、導光板５は、例えば、合成樹脂製の板材であって、光源１３Ａ、１３Ｂからの入射光を均一に拡散させる、図示しない溝を有する。
【００２６】
クッション板６は、導光板５に加わる衝撃を和らげるために設けられる。クッション板６は、導光板５で導かれる光をシート１Ｂ側に伝えないようにする役割も果たす。クッション板６の素材には、例えば、ポリ塩化ビニル（ＰＶＣ）が使用される。
【００２７】
保護板７Ａ、７Ｂは、同じ形状のアクリル板である。保護板７Ａは、第１の枠体３の溝３ａと第２の枠体４の溝４ａとの間に挟まれる。保護板７Ａの縁部７ｃが溝３ａに入り、保護板７Ａの縁部７ｄが溝４ａに入る。保護板７Ｂは、第１の枠体３の溝３ｃと第２の枠体４の溝４ｃとの間に挟まれる。保護板７Ｂの縁部７ｃが溝３ｃに入り、保護板７Ｂの縁部７ｄが溝４ｃに入る。
【００２８】
保護板７Ａの、縁部７ｃと縁部７ｄとの間の長さＬは、溝３ａと溝４ａとの距離と同じ長さに設定される。また、保護板７Ｂの、縁部７ｃと縁部７ｄとの間の長さも、長さＬであり、溝３ｃと溝４ｃとの距離と同じ長さである。
【００２９】
保護板７Ａはシート１Ａをシート表面から保護し、保護板７Ｂはシート１Ｂをシート表面から保護する。シート１Ａは、導光板５と保護板７Ａとの間の空間１Ｃに入り、シート１Ｂは、クッション板６と保護板７Ｂとの間の空間１Ｄに入る。
【００３０】
図２に示すように、保護板７Ａは、第１の枠体３に覆われる縁部７ｃ、７ｄと隣り合う縁部７ａ、７ｂの中央近傍に、円弧状の切り欠き部７Ｃ、７Ｄを有する。図示しないが、保護板７Ｂも、縁部７ａ、７ｂの中央近傍に切り欠き部７Ｃ、７Ｄを有する。切り欠き部７Ｃ、７Ｄは、作業者が、シート１Ａ、１Ｂを掲示具１０から出し入れしやすいようにする役割を果たす。
【００３１】
図４に示すように、第１の枠体３と第２の枠体にそれぞれ沿う、保護板７Ａの一対の縁部７ｃ、７ｄは、導光板５の位置する反対面の表面７ｅに、接着剤８が貼られ、第１の枠体３及び第２の枠体４に各縁部が接着される。第１の枠体３と第２の枠体にそれぞれ沿う、保護板７Ｂの一対の縁部７ｃ、７ｄも、導光板５の位置する反対面の表面７ｆに、接着剤８が貼られ、第１の枠体３及び第２の枠体４に各縁部が接着される。接着剤８には、両面に粘着性を有する接着テープを使用することが好ましい。
【００３２】
続いて、図５〜７を参照して、複数の掲示具１０を連結する方法について説明する。
例えば、図５に示すように、２つの掲示具１０Ａ、１０Ｂを連結させる場合、掲示具１０Ａの、取付孔部３０の孔３０Ａの中に、掲示具１０Ｂの取付鈎部４０が入る。
【００３３】
まず、図６Ａに示すように、掲示具１０Ａの孔３０Ａの中に、掲示具１０Ｂの延在部４４の先端が入るように、掲示具１０Ａの延在部３２と掲示具１０Ｂの延在部４４とが直交する向きに掲示具１０Ｂを傾ける。このとき、図７に示すように、掲示具１０Ａと掲示具１０Ｂも直交する向きに傾いている。
【００３４】
図６Ａに示すように、掲示具１０Ａの孔３０Ａの中に掲示具１０Ｂの延在部４４の先端が入ったら、図中の白抜き矢印に示すように、ねじ３２ａと湾曲部４３が近づく方向に、延在部４４に対して平行に掲示具１０Ｂを摺動させる。
【００３５】
図６Ｂに示すように、ねじ３２ａと湾曲部４３が接したら、延在部３２と直延部４２が平行になるように、図中の黒矢印方向に掲示具１０Ｂを９０度回動させる。掲示具１０Ｂを回動させると、図６Ｃに示すように、取付孔部３０の孔３０Ａの中に、取付鈎部４０が入ることにより、掲示具１０Ａと掲示具１０Ｂが連結される。掲示具１０Ａ、１０Ｂが連結したら、図５Ｂに示すように、掲示具１０Ａの導線１３Ｃと、掲示具１０Ｂの導線１３Ｄが連結されることが好ましく、図示しないが、掲示具１０Ｂの導線１３Ｃは、電源アダプタ等を介して電源と接続されることが好ましい。上述した動作により、複数の掲示具１０を容易に連結させることができる。
【００３６】
掲示具１０Ａと掲示具１０Ｂの連結を解除するときは、上述した動作の逆を行なう。すなわち、まず、掲示具１０Ｂの導線１３Ｃと電源との接続を解除し、掲示具１０Ａの導線１３Ｃと掲示具１０Ｂの導線１３Ｄとの連結を解除する。図６Ｃに示すように、取付孔部３０と取付鈎部４０とが連結した状態において、延在部３２と直延部４２が直交するように、図中の黒矢印方向に掲示具１０Ｂを９０度回動させる。掲示具１０Ｂを回動させると、図７に示すように、掲示具１０ＢはウインドウＡに対して遠ざかる方向に回動する。これは、図３に示したように、取付鈎部４０を、直延部４２が湾曲部４３に対してねじ孔４１ｃ側に位置し、延在部４４が湾曲部４３に対してねじ孔４１ｄ側に位置する構成としたためである。
【００３７】
図６Ｂに示すように、延在部３２と直延部４２が直交する方向に掲示具１０Ｂが傾いたら、図中の白抜き矢印に示すように、延在部４４に対して平行に、且つねじ３２ａと湾曲部４３が遠ざかる方向に、掲示具１０Ｂを摺動させる。
【００３８】
図６Ａに示すように、延在部４４の先端が取付孔部３０の孔３０Ａから出るまで掲示具１０Ｂを摺動させると、掲示具１０Ａと掲示具１０Ｂの連結が解除される。
【００３９】
上述した掲示具１０Ａ、１０Ｂの連結動作及び連結の解除動作は、２つの掲示具１０Ａ、１０Ｂを連結する場合のみに限られず、この動作と同じようにして、複数の掲示具１０を容易に連結させたり、連結を解除したりすることができる。
【００４０】
図４に示すように、保護板７Ａは、接着剤８によって、導光板５の反対の表面７ｅから第１の枠体３及び第２の枠体４に接着されている。保護板７Ｂも、接着剤８によって、導光板５の反対の表面７ｆから第１の枠体３及び第２の枠体４に接着されている。そのため、図８Ａに示すように、初期状態の保護板７Ａ、７Ｂは、導光板５に対して平行に配置されていても、経年変化によって、図８Ｂに示すように、保護板７Ａ、７Ｂが、導光板５側に対して凸になるように押し当てられ、たわむ。
【００４１】
保護板７Ａがたわんだ状態において、導光板５と保護板７Ａとの間の最も狭い幅ｈ１は、導光板５と保護板７Ａの中央近傍との距離であり、１ｍｍ程度であることが好ましい。導光板５と保護板７Ａとの間の最も広い幅ｈ２は、導光板５と縁部７ｃとの距離及び導光板５と縁部７ｄとの距離であり、それぞれ３ｍｍ程度であることが好ましい。保護板７Ｂがたわんだ状態において、クッション板６と保護板７Ｂとの間の最も狭い幅ｈ３は、クッション板６と保護板７Ｂの中央近傍との距離であり、１ｍｍ程度であることが好ましい。クッション板６と保護板７Ａとの間の最も広い幅ｈ４は、クッション板６と縁部７ｃとの距離及びクッション板６と縁部７ｄとの距離であり、それぞれ３ｍｍ程度であることが好ましい。
【００４２】
このように、保護板７Ａ、７Ｂが導光板５側にたわむことにより、図４に示した第１の枠体３と第２の枠体４から保護板７Ａ、７Ｂが外れなくなり、シート１Ａ、１Ｂを程よく固定することができる。また、シート１Ａを導光板５と保護板７Ａとの間に挟み、シート１Ｂをクッション板６と保護板７Ｂとの間に挟むので、シート１Ａ、１Ｂが掲示具１０内でずれたり、外れたりすることを防止する。
【００４３】
本実施の形態において、第１の枠体３が光源１３Ａの近傍に備えられるとともに空間部３ｄを有するため、第１の枠体３は、光源１３Ａから発する熱を放熱することができる。第２の枠体４が光源１３Ｂの近傍に備えられるとともに第２の枠体４が空間部４ｄを有するため、第２の枠体４は、光源１３Ｂが発する熱を放熱することができる。第１の枠体３及び第２の枠体４がそれぞれ放熱の役割を果たすため、掲示具１０は、高輝度な光源１３Ａ、１３Ｂを搭載することができる上に、光源１３Ａ、１３Ｂの寿命を長くすることができる。また、図示しない調光器を光源１３Ａ、１３Ｂに接続すれば、光源１３Ａ、１３Ｂから発する光の明るさを調光制御することができる。
【００４４】
なお、本実施の形態において、光源１３Ａが縁部２ｃに設けられ、光源１３Ｂが縁部２ｄに設けられるが、これに限られない。光源１３Ａ、１３Ｂのいずれか一方が設けられてもよい。また、本実施の形態において、光源１３Ａ、１３Ｂを同一の部材としたが、これに限られず、光源１３Ａ、１３Ｂは、異なる部材であってもよい。
【００４５】
本実施の形態において、取付孔部３０の蓋面３１が第１の枠体３の両端に設けられ、且つ取付鈎部４０が第２の枠体４の両端に設けられる。一対の取付孔部３０の孔３０Ａに一対の取付鈎部４０を挿通させることで複数の掲示具１０が連結されるので、複数の掲示具１０を均等に配置して掲示することができる。
【００４６】
本実施の形態において、取付鈎部４０の直延部４２が湾曲部４３に対してねじ孔４１ｃ側に位置し、延在部４４が湾曲部４３に対してねじ孔４１ｄ側に位置するため、掲示具１０ＢがウインドウＡにぶつかることなく、掲示具１０Ａと掲示具１０Ｂを連結したり連結を解除したりすることができる。また、取付鈎部４０を上述した構成としたため、作業者は、孔３０Ａが見える状態で掲示具１０Ａと掲示具１０Ｂを連結したり連結を解除したりすることができる。
【００４７】
本実施の形態において、延在部３２と直延部４２が直交した状態で、複数の掲示具１０の連結及び連結の解除を行える構成とした。そのため、複数の掲示具１０どうしの意図しない連結解除を回避でき、作業者が意図した場合のみ、複数の掲示具１０を連結させたり連結を解除させたりすることができる。
【００４８】
本実施の形態において、保護板７Ａが切り欠き部７Ｃ、７Ｄを有するため、空間１Ｃ内にあるシート１Ａは、縁部７ａ、７ｂのいずれからでも把持しやすく、取り出しやすい。また、保護板７Ｂが切り欠き部７Ｃ、７Ｄを有するため、空間１Ｄ内にあるシート１Ｂは、縁部７ａ、７ｂのいずれからでも把持しやすく、取り出しやすい。しかし、これに限られず、保護板７Ａ、７Ｂは、切り欠き部７Ｃ、７Ｄを省略してもよいし、切り欠き部７Ｃ、７Ｄのうちいずれか一方を設けてもよい。また、本実施の形態では、切り欠き部７Ｃ、７Ｄを、それぞれ縁部７ａ、７ｂの中央近傍に配置して同一の形状としたが、切り欠き部７Ｃ、７Ｄの位置や形状は、異なってもよい。
【００４９】
なお、本実施の形態において、シート１Ａ、１Ｂを店の外側からでも内側からでも掲示可能なために、掲示具１０は、導光板５の両面側に、保護板７Ａ、７Ｂを設けるが、これに限られない。保護板７Ａ、７Ｂのいずれか一方が、導光板５の一面側にのみ設けられていて、シート１Ａ、１Ｂのいずれか一方を掲示してもよい。
【００５０】
なお、本実施の形態において、掲示具１０はクッション板６を備えるが、これに限られない。クッション板６の代わりに、図示しない遮光シートを導光板５の裏面５ｆに貼ってもよいし、掲示具１０は、クッション板６を省略し、シート１Ａ、１Ｂの両方を照明する構成としてもよい。
【産業上の利用可能性】
【００５１】
この考案は、導光板の表面に配置した掲示対象物をその裏面から照明して掲示する掲示具に適用して極めて好適である。
【符号の説明】
【００５２】
１Ａ、１Ｂ・・・シート（掲示対象物）、１Ｃ、１Ｄ・・・空間、２・・・板部、２ａ、２ｂ、２ｃ、２ｄ・・・縁部、３・・・第１の枠体、４・・・第２の枠体、５・・・導光板、６・・・クッション板、７Ａ、７Ｂ・・・保護板、８・・・接着剤、１０・・・掲示具、１３Ａ、１３Ｂ・・・光源
【図１】
0003206256.tif 000003
【図２】
0003206256.tif 000004
【図３】
0003206256.tif 000005
【図４】
0003206256.tif 000006
【図５】
0003206256.tif 000007
【図６】
0003206256.tif 000008
【図７】
0003206256.tif 000009
【図８】
0003206256.tif 000010